(57)【要約】【課題】プラズマ表示装置の組立体を提供する。【解決手段】パネル組立体と、それを支持するシャーシベースと、シャーシベースと結合された駆動回路部と、パネル組立体と駆動回路部との電気的信号を伝達するフレキシブルプリンテッドケーブルと、パネル組立体の外面に付着されたフィルタ組立体と、フィルタ組立体に結合されて、フィルタ組立体に対する接地、及びパネル組立体の駆動中に発生する熱を放出する保護手段と、パネル組立体、シャーシベース、駆動回路部、フレキシブルプリンテッドケーブル、フィルタ組立体、及び保護手段を収容するケースと、を備えるプラズマ表示装置組立体である。フィルタ組立体がパネル組立体に直接付着される方式であるため、透明なガラス基板またはプラスチック基板が要求されず、フィルタ組立体がブラケットによって電気的に連結された状態で支持され、電気的接地を安定的に確保できる。【選択図】図４
2006171696.tif 000002
【特許請求の範囲】
【請求項１】
前面パネルと、それに対向して配置された背面パネルとを備えるパネル組立体と、
前記パネル組立体を支持するシャーシベースと、
前記シャーシベースと結合された駆動回路部と、
前記パネル組立体の各電極端子と駆動回路部のコネクタとに両端部が電気的に接続されて、電気的信号を伝達するフレキシブルプリンテッドケーブルと、
前記パネル組立体の外面に付着されたフィルタ組立体と、
前記フィルタ組立体に結合されて、前記フィルタ組立体に対する接地、及び前記パネル組立体の駆動中に発生する熱を放出する保護手段と、
前記パネル組立体、シャーシベース、駆動回路部、フレキシブルプリンテッドケーブル、フィルタ組立体、及び保護手段を何れも収容するケースと、を備えることを特徴とするプラズマ表示装置組立体。
【請求項２】
前記フィルタ組立体は、前記パネル組立体から発生する電磁気波、赤外線、ネオン発光、及び外光の反射を遮断するための複数のフィルムが積層されてなり、前記前面パネルの表面に直接付着されることを特徴とする請求項１に記載のプラズマ表示装置組立体。
【請求項３】
前記保護手段は、前記フィルタ組立体の上下端に結合され、前記フィルタ組立体と電気的に連結されたブラケットと、前記シャーシベースの上下端に所定間隔離れて配置され、前記ブラケットと結合されたカバープレートからなることを特徴とする請求項１に記載のプラズマ表示装置組立体。
【請求項４】
前記ブラケットは、一端が、前記フィルタ組立体と平行に配置され、他端が、前記シャーシベースが配置された方向に少なくとも１回以上折り曲げられることを特徴とする請求項３に記載のプラズマ表示装置組立体。
【請求項５】
前記カバープレートは、一端が、前記シャーシベースと平行した方向に配置され、他端が、前記フィルタ組立体が配置された方向に折り曲げられることを特徴とする請求項３に記載のプラズマ表示装置組立体。
【請求項６】
前記ブラケットの一端は、フィルタ組立体の前面に結合され、他端は、結合手段によって、前記カバープレートの一端または他端に結合されることを特徴とする請求項４または請求項５に記載のプラズマ表示装置組立体。
【請求項７】
前記結合手段は、前記ブラケットに第１結合孔を形成し、それと重なるカバープレートに第２結合孔を形成して、前記第１結合孔及び第２結合孔を介して螺合したことを特徴とする請求項６に記載のプラズマ表示装置組立体。
【請求項８】
前記カバープレート、前記ブラケットには、強度を補強するための補強手段が更に形成されることを特徴とする請求項７に記載のプラズマ表示装置組立体。
【請求項９】
前記補強手段は、前記カバープレート、前記ブラケットに形成されたビード部またはエンボシング部からなり、前記第１結合孔または第２結合孔は、それを貫通して形成されることを特徴とする請求項８に記載のプラズマ表示装置組立体。
【請求項１０】
前記カバープレート、前記ブラケットには、結合時にガイド役割を行うガイド手段が更に形成されることを特徴とする請求項７に記載のプラズマ表示装置組立体。
【請求項１１】
前記ガイド手段は、前記カバープレート、前記ブラケットに形成されたバーリング部、押し込まれたボス部、及び突出したピン部からなり、それを介して螺合されることを特徴とする請求項１０に記載のプラズマ表示装置組立体。
【請求項１２】
前記ブラケットとフィルタ組立体との間には、伝導性の素材が更に設置されることを特徴とする請求項３に記載のプラズマ表示装置組立体。
【請求項１３】
前記伝導性の素材は、電磁波遮蔽スポンジ及びフィンガーストリップからなることを特徴とする請求項１２に記載のプラズマ表示装置組立体。
【請求項１４】
前記カバープレートは、一端が、前記シャーシベースまたはシャーシベースの後方に強度を補強するために設置されたシャーシ補強部材と結合され、他端が、結合手段によってブラケットと結合されることを特徴とする請求項３に記載のプラズマ表示装置組立体。
【請求項１５】
前記カバープレートと、シャーシベースまたはシャーシ補強部材との間には、フレキシブルプリンテッドケーブルが配置されることを特徴とする請求項１４に記載のプラズマ表示装置組立体。
【請求項１６】
前記保護手段とフレキシブルプリンテッドケーブルとの間には、吸音材が更に設置されることを特徴とする請求項１に記載のプラズマ表示装置組立体。
【請求項１７】
前記保護手段とフレキシブルプリンテッドケーブルとの間には、除振材が更に設置されることを特徴とする請求項１に記載のプラズマ表示装置組立体。
【請求項１８】
前記保護手段の外面には、少なくとも一つ以上のヒーターシンクが更に設置されることを特徴とする請求項１に記載のプラズマ表示装置組立体。
【請求項１９】
前記保護手段は、前記フィルタ組立体の上下端にその長手方向に沿って結合され、前記フィルタ組立体と電気的に連結されたブラケットからなることを特徴とする請求項１に記載のプラズマ表示装置組立体。
【請求項２０】
前記ブラケットは、前記シャーシベース、前記シャーシベースの後方に設置されるシャーシ補強部材、及びケースに結合されることを特徴とする請求項１９に記載のプラズマ表示装置組立体。
【発明の詳細な説明】
【技術分野】
【０００１】
本発明は、プラズマ表示装置（Plasma Display Pannel：以下、ＰＤＰ）の組立体に係り、より詳細には、パネル組立体の前面にフィルタ組立体が直接付着され、フィルタ組立体を支持する手段が接地機能と放熱機能とを同時に行うように、構造が改善されたＰＤＰ組立体に関する。
【背景技術】
【０００２】
通常的に、ＰＤＰ組立体は、複数の基板の対向面に複数の放電電極を形成し、基板間の密閉された放電空間に放電ガスを注入した状態で各放電電極に所定の電圧を印加して、放電空間に発生する紫外線によって蛍光体層の蛍光物質を励起させて、発光された光を用いて画像を具現する平板表示装置をいう。
【０００３】
ＰＤＰ組立体は、前面パネル及び背面パネルをそれぞれ製造して、それを結合させ、背面パネルの背面にシャーシベースを組立て、シャーシベースの一面にパネル組立体と電気的信号を伝達できる駆動回路部を実装し、それらをケースに装着することによって製造される。
【０００４】
図１を参照すれば、従来のＰＤＰ組立体１００は、前面パネル１０２と、それと結合される背面パネル１０３を備えるパネル組立体１０１と、前記パネル組立体１０１の後方に結合され、接着部材１０４によって付着されるシャーシベース１０７と、前記シャーシベース１０７の上下端に結合されるシャーシ補強部材１０８と、前記シャーシベース１０７と結合される駆動回路部１１３と、前記駆動回路部１１３に実装される回路素子１１４と、前記シャーシベース１０７の上下端に所定間隔離れて結合されたカバープレート１１２と、前記シャーシベース１０７とカバープレート１１２との間に介在されたフレキシブルプリンテッドケーブル１０９と、前記パネル組立体１０１の前方に結合されるフィルタ組立体１１９と、前記パネル組立体１０１、シャーシベース１０７、駆動回路部１１３及びフィルタ組立体１１９を収容するケース１１７とを備える。
【０００５】
この時、前記フィルタ組立体１１９は、駆動中に発生する電磁気波、赤外線領域の光、ネオン発光、及び外光の反射による視認性の低下を防止するために設置されるものであって、ガラスまたはプラスチックのような透明な基板上に電磁気波遮蔽フィルタ、選択波長吸収フィルム、及び反射防止フィルムなどが付着され、シャーシベース１０７に連結されて接地されている。
【０００６】
また、前記フィルタ組立体１１９とパネル組立体１０１との間には、フィルタホルダー１１５が設置され、前記フィルタホルダー１１５は、ケース１１７に対してフィルタ組立体１１９を加圧するプレス部１１５ａと、前記プレス部１１５ａから前記パネル組立体１０１が配置された方向に折り曲げられたフィクシング部１１５ｂとを備える。
【０００７】
前記ケース１１７の背面端部には、フィルタ固定部１１６が設置されており、前記フィルタ固定部１１６は、前記フィクシング部１１５ｂと対向する位置に設置されて、螺合されることで前記ケース１１７に対してフィルタ組立体１１９を固定している。
【０００８】
しかし、従来のＰＤＰ組立体１００は、次のような問題点がある。
【０００９】
第一に、前記フィルタ組立体１１９は、数cmの透明な基板上に複数のフィルムを付着させて、ケース１１７とフィルタホルダー１１５との間に配置させた状態で、前記ケース１１７に設置されたフィルタ固定部１１６に対し、前記フィルタ組立体１１９を後方から支持するフィルタホルダー１１５に螺合させる方式である。前記フィルタホルダー１１５がフィルタ固定部１１６に結合される過程で、必要以上の外力が加えられる場合には、フィルタ組立体１１９用の基板が破損される恐れがある。
【００１０】
第二に、前記フィルタ組立体１１９は、透明な基板上に複数のフィルムを付着させる方式であるため、フィルムを支持するための透明基板が必要になり、製造コストが上がる。
【００１１】
第三に、フィルタ組立体１１９は、厚膜型の基板が要求されるため、軽薄短小化されるＰＤＰ組立体１００の開発方向と逆行する。
【００１２】
第四に、ＰＤＰ組立体１００の内部から発生する振動またはノイズを遮断させる必要がある。
【００１３】
第五に、前記パネル組立体１０１から発生する電磁気波等に対する、より安定した接地機能が必要である。
【００１４】
第六に、前記ＰＤＰ組立体１００の大型化によるシャーシベース１０７の強度を補強する必要がある。
【００１５】
第七に、ＰＤＰ組立体１００の駆動中に発生する熱を外部に放出させる必要がある。
【発明の開示】
【発明が解決しようとする課題】
【００１６】
本発明の目的は、前記問題点を解決するためになされたものであって、パネル組立体の前面にフィルタ組立体が直接付着されたＰＤＰ組立体を提供するところにある。
【００１７】
本発明の他の目的は、フィルタ組立体を支持して電気的接地を安定的に確保すると同時に、放熱機能を行える保護手段が設置されたＰＤＰ組立体を提供するところにある。
【課題を解決するための手段】
【００１８】
前記目的を達成するために、本発明の一側面に係るＰＤＰ組立体は、前面パネルと、それに対向して配置された背面パネルとを備えるパネル組立体と、前記パネル組立体を支持するシャーシベースと、前記シャーシベースと結合された駆動回路部と、前記パネル組立体の各電極端子と駆動回路部のコネクタとに両端部が電気的に接続されて、電気的信号を伝達するフレキシブルプリンテッドケーブルと、前記パネル組立体の外面に付着されたフィルタ組立体と、前記フィルタ組立体に結合されて、前記フィルタ組立体に対する接地、及び前記パネル組立体の駆動中に発生する熱を放出する保護手段と、前記パネル組立体、シャーシベース、駆動回路部、フレキシブルプリンテッドケーブル、フィルタ組立体及び保護手段を何れも収容するケースと、を含むことを特徴とする。
【００１９】
また、前記フィルタ組立体は、前記パネル組立体から発生する電磁気波、赤外線、ネオン発光、及び外光の反射を遮断するための複数のフィルムが積層されてなり、前記前面パネルの表面に直接付着されることを特徴とする。
【００２０】
さらに、前記保護手段は、前記フィルタ組立体の上下端に結合され、前記フィルタ組立体と電気的に連結されたブラケットと、前記シャーシベースの上下端に所定間隔離れて配置され、前記ブラケットと結合されたカバープレートとからなることを特徴とする。
【００２１】
さらに、前記ブラケットは、一端が、前記フィルタ組立体と平行に配置され、他端が、前記シャーシベースが配置された方向に少なくとも１回以上折り曲げられることを特徴とする。
【００２２】
さらに、前記ブラケットの一端は、フィルタ組立体の全面に結合され、他端は、結合手段によって前記カバープレートの一端または他端に結合されることを特徴とする。
【００２３】
合わせて、前記結合手段は、前記ブラケットに第１結合孔を形成し、それと重なるカバープレートに第２結合孔を形成して、前記第１結合孔及び第２結合孔を介して螺合することを特徴とする。
【００２４】
また、前記カバープレートやブラケットには、強度を補強するための補強手段が更に形成されることを特徴とする。
【００２５】
ここで、前記補強手段は、前記カバープレートやブラケットに形成されたビード部またはエンボシング部からなり、前記第１結合孔または第２結合孔は、それを貫通して形成されることを特徴とする。
【００２６】
また、前記カバープレートやブラケットには、結合時にガイド役割を行うガイド手段が更に形成されることを特徴とする。
【００２７】
その時、前記ガイド手段は、前記カバープレートまたはブラケットに形成されたバーリング部、押し込まれたボス部、及び突出したピン部からなり、それを介して螺合されることを特徴とする。
【００２８】
また、前記ブラケットとフィルタ組立体との間には、伝導性の素材が更に設置されることを特徴とする。
【００２９】
合わせて、前記カバープレートは、一端が、前記シャーシベースまたはシャーシベースの後方に強度を補強するために設置されたシャーシ補強部材に結合され、他端が、結合手段によってブラケットと結合されることを特徴とする。
【００３０】
さらに、前記保護手段の外面には、少なくとも一つ以上のヒーターシンクが更に設置されることを特徴とする。
【００３１】
また、前記保護手段は、前記フィルタ組立体の上下端にその長手方向に沿って結合され、前記フィルタ組立体と電気的に連結されたブラケットからなることを特徴とする。
【００３２】
さらに、前記ブラケットは、前記シャーシベース、前記シャーシベースの後方に設置されるシャーシ補強部材、及びケースに結合されることを特徴とする。
【発明の効果】
【００３３】
本発明のＰＤＰ組立体は、パネル組立体の前面にフィルタ組立体が直接付着されており、フィルタ組立体は、別途に設けられた保護手段によって支持されることにより、次のような効果が得られる。
【００３４】
第一に、フィルタ組立体がパネル組立体に直接付着される方式であるため、透明なガラス基板またはプラスチック基板が要求されない。それにより、ＰＤＰ組立体が軽薄短小化され、かつ製造工程が簡単になり、製造コストが節減される。
【００３５】
第二に、フィルタ組立体がブラケットによって電気的に連結された状態で支持されるため、電気的接地を安定的に確保できる。
【００３６】
第三に、フィルタ組立体を支持するブラケットが、シャーシベースに結合されるカバープレートと連結されるため、放熱部材としての機能を行う。
【００３７】
第四に、フィルタ組立体とブラケットとの間に伝導性の素材が介在されるため、電磁気波遮蔽効果に更に優れる。
【００３８】
第五に、除振材または吸音材がケース内部に設置されるため、ＰＤＰ組立体の内部から発生する振動またはノイズを容易に遮断できる。
【００３９】
第六に、フィルタ組立体を支持するブラケットや、それと結合されるカバープレートに、ビード部、エンボシング、ボス部またはバーリング部などが設置されるため、強度を補強できる。
【発明を実施するための最良の形態】
【００４０】
以下、添付された図面を参照して、本発明の好ましい実施形態に係るＰＤＰ組立体を詳細に説明する。
【００４１】
図２は、本発明の一実施形態に係るＰＤＰ組立体２００を示す図面である。
【００４２】
図面を参照すれば、前記ＰＤＰ組立体２００は、前面パネル２１１と、前記前面パネル２１１と結合される背面パネル２１２とを備えるパネル組立体２１０を備えている。
【００４３】
前記パネル組立体２１０が３電極交流型の面放電方式である場合、前面パネル２１１の内面には、Ｘ電極及びＹ電極を備える放電維持電極対と、放電維持電極対を埋め込む前面誘電体層と、前面誘電体層の表面にコーティングされる保護膜層とが形成されている。前記背面パネル２１２には、放電維持電極対と交差する方式で配置されたアドレス電極と、アドレス電極を埋め込む背面誘電体層とが形成されている。前記前面パネル２１１と背面パネル２１２との間には、放電空間を限定する隔壁と、隔壁の内側に塗布された赤色、緑色、青色の蛍光体層とを備えている。
【００４４】
前記パネル組立体２１０の後方には、シャーシベース２２０が配置されている。前記シャーシベース２２０は、接着手段２６０によってパネル組立体２１０と結合している。前記シャーシベース２２０は、熱伝導率に優れたアルミニウムプレートからなっている。前記接着手段２６０は、放熱シート２６１と、両面テープ２６２とを備えている。シャーシベース２２０の上下端の背面には、その強度を補強するためにシャーシ補強部材２５０が設置されている。
【００４５】
前記シャーシベース２２０の背面には、駆動回路部２３０が複数設置されている。前記駆動回路部２３０には、複数の回路素子２３１が実装されている。前記駆動回路部２３０とパネル組立体２１０との間には、フレキシブルプリンテッドケーブル２４０が設置されている。前記フレキシブルプリンテッドケーブル２４０は、パネル組立体２１０の各電極端子と、駆動回路部２３０のコネクタとを相互電気的に連結している。
【００４６】
前記パネル組立体２１０の前面には、フィルタ組立体２８０が付着されている。前記フィルタ組立体２８０は、前記パネル組立体２１０から発生する電磁気波、赤外線、ネオン発光、及び外光の反射を遮断するために設置されている。
【００４７】
前記パネル組立体２１０、シャーシベース２２０、駆動回路部２３０及びフィルタ組立体２８０は、ケース３２０内に収容されている。前記ケース３２０は、前記フィルタ組立体２８０の前方に設置されたフロントキャビネット３２１と、前記駆動回路部２３０の後方に設置されたバックカバー３２２とからなる。前記バックカバー３２２の上下端には、複数の貫通孔３２２ａが形成されている。
【００４８】
本発明の特徴によれば、前記フィルタ組立体２８０は、パネル組立体２１０の外面に直接付着されており、保護手段は、前記フィルタ組立体２８０とシャーシベース２２０とにそれぞれ結合されて、前記フィルタ組立体２８０に対する接地機能と、前記シャーシベース２２０から伝達される熱に対する放熱機能とを何れも行っている。
【００４９】
更に詳細には、下記説明の通りである。
【００５０】
以下、前記図面で同じ参照番号は、同じ機能を行う同じ部材を示す。
【００５１】
図３は、図２のＰＤＰ組立体２００が結合された状態を部分的に切り取って示す断面図であり、図４は、図３の特徴部を示す分離斜視図である。
【００５２】
図３及び図４を参照すれば、前記パネル組立体２１０は、前面パネル２１１と、それに平行に配置された背面パネル２１２とが封着されて、放電時に画像を具現する。
【００５３】
前記背面パネル２１２の背面には、シャーシベース２２０が設置されている。前記シャーシベース２２０は、前記パネル組立体２１０を支持するだけでなく、駆動中にパネル組立体２１０から発生する熱を外部へ放出する役割を行う。このようなシャーシベース２２０の上下端部は、それ自体の強度を強化させるために、パネル組立体２１０の逆方向に“Ｌ”字状に折り曲げられている。
【００５４】
前記背面パネル２１２とシャーシベース２２０との間には、接着手段２６０が介在されている。前記接着手段２６０は、前記背面パネル２１２の中央側に配置された放熱シート２６１と、前記背面パネル２１２の端部に配置された両面テープ２６２とを備えている。前記放熱シート２６１は、駆動中にパネル組立体２１０から発生する熱をシャーシベース２２０に伝達したり、パネル組立体２１０に対してシャーシベース２２０が離れて結合されて、放熱シート２６１が直接シャーシベース２２０に接しない場合には、直接外部へ放出する機能を行うと同時に、接着機能を行う。
【００５５】
前記シャーシベース２２０の上下端の背面には、パネル組立体２１０の大型化によるシャーシベース２２０の上下左右の変形を防止するために、その長手方向または幅方向に沿ってシャーシ補強部材２５０が結合されている。前記シャーシ補強部材２５０は、ストリップ状のプレートが、少なくても１回以上折り曲げられている。前記シャーシ補強部材２５０のない小型のＰＤＰ組立体の場合には、シャーシベース２２０自体が少なくても１回以上折り曲げられてもよい。
【００５６】
前記シャーシベース２２０の背面には、駆動回路部２３０が結合されている。前記駆動回路部２３０には、複数の回路素子２３１とコネクタ２３２とが実装されている。
【００５７】
その時、前記パネル組立体２１０の前面には、フィルタ組立体２８０が付着されている。すなわち、前記前面パネル２１１の表面には、前記パネル組立体２１０から発生する電磁気波、赤外線、ネオン発光、及び外光の反射を遮断するためのフィルタ組立体２８０が直接付着されている。
【００５８】
そのために、前記フィルタ組立体２８０は、外光の反射による視認性の低下を防止するための反射防止フィルムと、パネル組立体２１０の駆動中に発生する電磁気波を効果的に遮断するための電磁気波遮蔽フィルムと、ネオン発光及び画面発光時に使われる不活性気体のプラズマによる、近赤外線の不要な発光を遮蔽するための選択波長吸収フィルムなどが複数枚積層されたフィルムとからなっている。一方、前記フィルタ組立体２８０には、厚膜型の透明なガラス基板またはプラスチック基板などが排除されている。
【００５９】
ここで、前記フィルタ組立体２８０及びシャーシベース２２０には、保護手段が結合されている。
【００６０】
すなわち、前記フィルタ組立体２８０の上下端には、その長手方向に沿ってブラケット２９０が結合されている。前記ブラケット２９０は、前記フィルタ組立体２８０と電気的に連結されている。また、前記シャーシベース２２０の上下端には、それと所定間隔離れてカバープレート２７０が設置されている。前記カバープレート２７０は、前記ブラケット２９０と結合されている。このようなシャーシベース２２０とカバープレート２９０との間に形成された空間には、フレキシブルプリンテッドケーブル２４０が収容されている。
【００６１】
この時、前記ブラケット２９０は、前記フィルタ組立体２８０と平行した方向に配置された第１折り曲げ部２９１と、前記第１折り曲げ部２９１からシャーシベース２２０が設置された方向に９０゜折り曲げられた第２折り曲げ部２９２とからなっている。そして、前記カバープレート２７０は、前記シャーシベース２２０と平行した方向に配置された第３折り曲げ部２７１と、前記第３折り曲げ部２７１から前記フィルタ組立体２８０が設置された方向に９０゜折り曲げられた第４折り曲げ部２７２とからなっている。
【００６２】
このようなブラケット２９０は、第１折り曲げ部２９１の一端が前記フィルタ組立体２８０の前面上端に付着され、第２折り曲げ部２９２の他端が、結合手段によって前記カバープレート２７０の第４折り曲げ部２７２と結合されている。
【００６３】
この時、前記ブラケット２９０の第１折り曲げ部２９１とフィルタ組立体２８０の前面上端との間には、伝導性素材３００が介在されることが好ましい。このような伝導性素材３００としては、電磁波遮蔽スポンジ及びフィンガーストリップなどが挙げられる。前記伝導性素材３００は、導電性、復元性、及び電磁波遮蔽率に優れ、時間が経過しても接触抵抗が低い。また、前記ブラケット２９０は、接着部材３１０によってフロントキャビネット３２１に結合されている。
【００６４】
それにより、前記ブラケット２９０は、前記フィルタ組立体２８０と直接電気的に連結されてもよく、伝導性素材３００を経て、フィルタ組立体２８０と電気的に連結されて接地機能を行える。
【００６５】
また、前記ブラケット２９０と前記カバープレート２７０とを相互結合させる結合手段には、多様な適用例がある。
【００６６】
すなわち、前記ブラケット２９０の第２折り曲げ部２９２に第１結合孔２９２ａを形成し、前記カバープレート２７０の第４折り曲げ部２７２に第２結合孔２７２ａを形成し、第１結合孔２９２ａ及び第２結合孔２７２ａを介して螺合しうる。
【００６７】
この時、前記カバープレート２７０には、結合強度を補強するために補強手段が更に設置されうるが、本実施形態では、前記カバープレート２７０の第４折り曲げ部２７２にビード部２７３が形成されている。代案として、前記ブラケット２９０の第２折り曲げ部２９２にビード部が形成されてもよく、前記カバープレート２７０やブラケット２９０のうち、何れか１箇所にエンボシングが形成されてもよい。
【００６８】
前記カバープレート２７０が要求されないタイプのＰＤＰ組立体の場合には、前記シャーシベース２２０やシャーシ補強部材２５０を少なくとも１回以上折り曲げて、結合手段または補強手段によって前記ブラケット２９０に結合させうる等、何れか一つの実施形態に限定されるものではない。
【００６９】
一方、前記シャーシ補強部材２５０とカバープレート２７０との間には、フレキシブルプリンテッドケーブル２４０が介在されている。前記フレキシブルプリンテッドケーブル２４０は、ＩＣ  ２４１と、前記ＩＣ  ２４１と電気的に連結され、一端が、前記パネル組立体２１０の各電極端子と連結され、他端が、前記駆動回路部２３０のコネクタ２３２に接続されて、パネル組立体２１０と駆動回路部２３０との電気的信号を伝達するリード２４２と、前記リード２４２を保護するフィルム２４３とを備えている。
【００７０】
前記ＩＣ  ２４１とシャーシ補強部材２５０との間には、サーマルグリースのような接着部材３３１が介在されており、前記ＩＣ  ２４１とカバープレート２７０との間には、シリコンシートのような放熱シート３３２が介在されている。
【００７１】
前記構成を有するＰＤＰ組立体２００は、駆動中にパネル組立体２１０や回路素子２３１から発生した電磁気波は、前面パネル２１１の表面に直接付着されたフィルタ組立体２８０の電磁気波遮蔽フィルムを介して遮蔽され、電磁気波遮蔽フィルムと電気的に連結された伝導性素材３００とブラケット２９０とフロントキャビネット３２１とを経て除去される。
【００７２】
また、ネオン発光及び画面発光時に使われる不活性機体のプラズマによる近赤外線の不要な発光は、選択波長吸収フィルムにより吸収され、外光の反射による視認性の低下は、反射防止フィルムによって減らしうる。
【００７３】
一方、前記ＰＤＰ組立体２００は、駆動中にパネル組立体２１０から多量の熱が発生するが、発生した熱は、パネル組立体２１０とシャーシベース２２０との間に介在された放熱シート２６１を経て、シャーシベース２２０を介して放出される。
【００７４】
また、フレキシブルプリンテッドケーブル２４０のＩＣ  ２４１から発生した熱は、熱伝導シート３３２を経て、カバープレート２７０と、それと結合されたブラケット２９０とを介して外部へ放出される。放出された熱は、バックカバー３２２に形成された貫通孔３２２ａを介して流入される空気による自然対流によって冷却される。
【００７５】
図５は、本発明の第２実施形態に係るＰＤＰ組立体が結合された状態を示す図面である。
【００７６】
図面を参照すれば、パネル組立体２１０の前面には、透明なガラスまたはプラスチック基板が排除され、複数枚の機能性フィルムからなるフィルタ組立体２８０が直接付着されており、パネル組立体２１０の後方には、接着手段２６０によってシャーシベース２２０が付着されている。
【００７７】
前記シャーシベース２２０の背面上端には、その強度を補強させるためのシャーシ補強部材２５０が結合されており、背面中央側には、複数の回路素子２３１が実装された駆動回路部２３０が設置されている。
【００７８】
この時、前記パネル組立体２１０の前面に付着されたフィルタ組立体２８０は、保護手段によって支持されている。
【００７９】
すなわち、フィルタ組立体２８０の前面には、接着部材または伝導性素材３００を介在した状態でブラケット５９０が結合されている。前記ブラケット５９０は、前記フィルタ組立体２８０と平行した方向に配置された第１折り曲げ部５９１と、前記第１折り曲げ部５９１からシャーシベース２２０が配置された方向に折り曲げられた第２折り曲げ部５９２と、前記第２折り曲げ部５９２から第１折り曲げ部５９１と逆方向に折り曲げられた第３折り曲げ部５９３とからなっている。
【００８０】
前記シャーシベース２２０の後方上端には、前記ブラケット５９０が結合されるカバープレート５７０が配置されている。前記カバープレート５７０は、シャーシベース２２０と平行に配置された第３折り曲げ部５７１と、前記第３折り曲げ部５７１から前記フィルタ組立体２８０が配置された方向に折り曲げられた第４折り曲げ部５７２とからなっている。
【００８１】
この時、前記第１折り曲げ部５９１の下端は、前記フィルタ組立体２８０との間に伝導性素材３００、例えば、電磁波遮蔽スポンジ及びフィンガーストリップが介在された状態で、前記フィルタ組立体２８０と電気的に連結されるように接触され、前記第２折り曲げ部５９２には、カバープレート５７０の第４折り曲げ部５７２が結合されている。
【００８２】
前記第２折り曲げ部５９２及び第４折り曲げ部５７２の相互結合のために、前記第２折り曲げ部５９２には、第１結合孔５９２ａが形成されており、前記第４折り曲げ部５７２には、前記第１結合孔５９２ａと対応する位置に第２結合孔５７２ａが形成されており、前記第１結合孔５９２ａ及び第２結合孔５７２ａを通介して螺合されている。この時、第４折り曲げ部５７２には、結合される部分の強度を補強するためにビード部５７３が突出しており、前記第２結合孔５７２ａは、ビード部５７３上に貫通されている。
【００８３】
また、前記保護手段には、パネル組立体２１０、回路素子２３１が実装された駆動回路部２３０、及びフレキシブルプリンテッドケーブル２４０のＩＣ  ２４１から発生する熱を更に効果的に外部へ放出させるために放熱手段が更に設置されている。
【００８４】
すなわち、前記第２折り曲げ部５９２の外面には、複数のリブからなる第１ヒーターシンク５９４が形成されており、第３折り曲げ部５９３の外面にも複数のリブからなる第２ヒーターシンク５９５が形成されている。
【００８５】
それにより、駆動中に発生する熱は、前記カバープレート５７０と、それと結合されたブラケット５９０とによって更に拡張された放熱面積によって効果的に排出され、それと同時に、第１ヒーターシンク５９４及び第２ヒーターシンク５９５によって速かに冷却できる。
【００８６】
図６は、本発明の第３実施形態に係るＰＤＰ組立体の一部を切り取って示す図面である。
【００８７】
図面を参照すれば、パネル組立体２１０の前面には、フィルタ組立体２８０が直接付着され、前記フィルタ組立体２８０は、保護手段によって支持されている。
【００８８】
前記保護手段は、フィルタ組立体２８０の前面で支持するブラケット６９０と、シャーシベース２２０の後方に設置されて、前記ブラケット６９０と結合されるカバープレート６７０とを備えている。前記カバープレート６７０のない場合には、前記ブラケット６９０を加工して、カバープレート６７０が配置された部分まで延ばして設置してもよく、シャーシベース２２０またはシャーシ補強部材２５０を加工して、前記ブラケット６９０と結合させてもよい。
【００８９】
前記ブラケット６９０は、前記フィルタ組立体２８０と平行した方向に配置された第１折り曲げ部６９１と、それからシャーシベース２２０が配置された方向に折り曲げられた第２折り曲げ部６９２とを備えており、前記カバープレート６７０は、前記シャーシベース２２０と平行した方向に配置された第３折り曲げ部６７１と、それからフィルタ組立体２８０が配置された方向に折り曲げられた第４折り曲げ部６７２とを備えている。
【００９０】
この時、前記第２折り曲げ部６９２及び第４折り曲げ部６７２は、互いに対向して配置され、前記第２折り曲げ部６９２には、第１結合孔６９２ａが形成されている。また、前記第４折り曲げ部６７２には、ビード部６７３が突出しており、前記ビード部６７３に形成された第２結合孔６７２ａを介して、ガイド手段であるボス６８０が押し込まれている。前記ボス６８０がガイドの役割を行うことにより、前記第２折り曲げ部６９２に対して第４折り曲げ部６７２の結合が可能である。
【００９１】
図７は、本発明の第４実施形態に係るＰＤＰ組立体が結合された状態を切り取って示す図面である。
【００９２】
図面を参照すれば、パネル組立体２１０の前面には、フィルタ組立体２８０が直接付着されている。前記フィルタ組立体２８０は、保護手段によって支持されるが、前記保護手段は、ブラケット７９０と、前記ブラケット７９０と結合されるカバープレート７７０とを備えている。
【００９３】
前記ブラケット７９０は、前記フィルタ組立体２８０の前面に結合される第１折り曲げ部７９１と、それからシャーシベース２２０が設置された方向に折り曲げられた第２折り曲げ部７９２とからなり、前記カバープレート７７０は、前記シャーシベース２２０の後方に結合される第３折り曲げ部７７１と、それからフィルタ組立体２８０が設置された方向に折り曲げられた第４折り曲げ部７７２とからなる。
【００９４】
この時、前記第２折り曲げ部７９２及び第４折り曲げ部７７２は、互いに重なるように配置され、前記第２折り曲げ部７９２には、第１結合孔７９２ａが形成され、前記第４折り曲げ部７７２には、強度を補強するためのビード部７７３が突出している。また、前記ビード部７７３には、ガイド役割を行うピン７８０が突出しており、前記第２折り曲げ部７９２及び第４折り曲げ部７７２は、ピン７８０結合によって相互連結されている。
【００９５】
図８は、本発明の第５実施形態に係るＰＤＰ組立体が結合された状態を示す図面である。
【００９６】
図面を参照すれば、前記パネル組立体２１０の前面には、フィルタ組立体２８０が直接付着されている。前記フィルタ組立体２８０は、保護手段によって支持されているが、そのような保護手段は、前記フィルタ組立体２８０の前面から結合されるブラケット８９０と、シャーシベース２２０の後方に配置されて、前記ブラケット８９０と結合されるカバープレート８７０とを備えている。
【００９７】
前記ブラケット８９０は、伝導性を有する素材８６０、例えば、フィンガーストリップを介在した状態で、第１折り曲げ部８９１がフィルタ組立体２８０の前面に電気的に連結されており、前記第１折り曲げ部８９１からシャーシベース２２０が配置された方向に折り曲げられた第２折り曲げ部８９２は、前記カバープレート８７０の第４折り曲げ部８７２と結合されている。
【００９８】
そのために、前記第２折り曲げ部８９２には、第１結合孔８９２ａが形成されており、前記第４折り曲げ部８７２には、ビード部８７３が突出しており、前記ビード部８７３には、前記第１結合孔８９２ａと対応する所に第２結合孔８７２ａが形成されている。前記第２折り曲げ部８９２及び第４折り曲げ部８７２は、前記第１結合孔８９２ａ及び第２結合孔８７２ａを通じて螺合されている。
【００９９】
この時、前記第４折り曲げ部８７２の内面には、ＰＤＰ組立体の駆動中に発生する振動またはノイズを遮断するための手段８８０、例えば、除振材や吸音材が設置されている。
【０１００】
このような振動やノイズを遮断するための手段８８０は、フレキシブルプリンテッドケーブル２４０を保護するために、それと対応する所に位置しており、スポンジ、ゴム材、及び不織布などを選択して使用できる。
【０１０１】
図９は、本発明の第６実施形態に係るＰＤＰ組立体が結合された状態を示す図面である。
【０１０２】
図面を参照すれば、前記パネル組立体２１０の前面には、複数枚のフィルムが積層されたフィルタ組立体２８０が直接付着されている。このようなフィルタ組立体２８０は、保護手段によって支持されるが、前記保護手段は、前記フィルタ組立体２８０の前面に結合されるブラケット９９０と、シャーシベース２２０の後方に配置され、前記ブラケット９９０と結合されるカバープレート９７０とを備えている。
【０１０３】
前記ブラケット９９０は、前記フィルタ組立体２８０と平行した方向である第１折り曲げ部９９１と、前記第１折り曲げ部９９１からシャーシベース２２０方向に折り曲げられた第２折り曲げ部９９２と、前記第２折り曲げ部９９２から前記第１折り曲げ部９９１の逆方向に折り曲げられた第３折り曲げ部９９３とを備えている。
【０１０４】
前記カバープレート９７０は、シャーシベース２２０と平行した方向である第４折り曲げ部９７１と、前記第４折り曲げ部９７１の中央地点で前記フィルタ組立体２８０の方向に９０°折り曲げられた第５折り曲げ部９７２とを備えている。
【０１０５】
この時、前記第３折り曲げ部９９３には、第１結合孔９９３ａが形成されており、前記第４折り曲げ部９７１の上端には、第２結合孔９７１ａが形成されており、前記第１結合孔９９３ａ及び第２結合孔９７１ａは、互いに連通して螺合されている。また、前記第２折り曲げ部９９２の外面には、複数のリブからなる第１ヒーターシンク９９４が突出しており、前記第３折り曲げ部９９３の内面には、複数のリブからなる第２ヒーターシンク９９５が突出している。
【０１０６】
本発明は、図示された実施形態を参考に説明されたが、これは例示的なものに過ぎず、当業者ならば、これから多様な変形及び均等な他の実施形態が可能であるということが理解できる。したがって、本発明の真の技術的保護範囲は、特許請求の範囲の技術的思想によって決まらねばならない。
【産業上の利用可能性】
【０１０７】
本発明は、パネル組立体の前面に直接フィルタ組立体が付着され、それを支持して電気的接地を確保すると共に、放熱機能を行える保護手段が設置されたＰＤＰ組立体の関連技術分野に好適に用いられる。
【図面の簡単な説明】
【０１０８】
【図１】従来のＰＤＰ組立体の一部を切り取って示す断面図である。
【図２】本発明の第１実施形態に係るＰＤＰ組立体を示す分離斜視図である。
【図３】図２のＰＤＰ組立体の一部を切り取って示す断面図である。
【図４】図３の分離斜視図である。
【図５】本発明の第２実施形態に係るＰＤＰ組立体の一部を切り取って示す断面図である。
【図６】本発明の第３実施形態に係るＰＤＰ組立体の一部を切り取って示す断面図である。
【図７】本発明の第４実施形態に係るＰＤＰ組立体の一部を切り取って示す断面図である。
【図８】本発明の第５実施形態に係るＰＤＰ組立体の一部を切り取って示す断面図である。
【図９】本発明の第６実施形態に係るＰＤＰ組立体の一部を切り取って示す断面図である。
【符号の説明】
【０１０９】
２１０    パネル組立体
２１１    前面パネル
２１２    背面パネル
２２０    シャーシベース
２３０    駆動回路部
２３１    回路素子
２３２    コネクタ
２４０    フレキシブルプリンテッドケーブル
２５０    シャーシ補強部材
２６０    接着手段
２６１    放熱シート
２６２    両面テープ
２７０    カバープレート
２７１    第３折り曲げ部
２７２    第４折り曲げ部
２７３    ビード部
２８０    フィルタ組立体
２９０    ブラケット
２９１    第１折り曲げ部
２９２    第２折り曲げ部
３００    伝導性素材
３１０    接着部材
【図１】
2006171696.tif 000003
【図２】
2006171696.tif 000004
【図３】
2006171696.tif 000005
【図４】
2006171696.tif 000006
【図５】
2006171696.tif 000007
【図６】
2006171696.tif 000008
【図７】
2006171696.tif 000009
【図８】
2006171696.tif 000010
【図９】
2006171696.tif 000011